(57)【要約】      （修正有）【課題】操作履歴に応じて表示画面のレイアウトを変更し、誤動作を低減する。【解決手段】一定期間内において、表示画面に対するユーザの操作回数を操作ボタン毎に記録する操作履歴記録部４と、操作履歴記録部４に記録された操作ボタン毎の操作回数を、第１の閾値、及び第１の閾値より値の大きい第２の閾値と、それぞれ比較する比較部５と、比較部５により操作回数が第１の閾値以下と判定された操作ボタンを非表示対象に設定する非表示対象設定部６と、比較部５により操作回数が第２の閾値以上と判定された操作ボタンを拡大対象に設定する拡大対象設定部７とを備える。画面生成部３は、非表示対象設定部６により非表示対象に設定された操作ボタンがある場合に表示画面上の操作ボタンを非表示とし、拡大対象設定部７により拡大対象に設定された操作ボタンがある場合に表示画面上の操作ボタンの表示サイズを標準よりも大きくする。【選択図】図１
2017037551.tif 000002
【特許請求の範囲】
【請求項１】
複数の操作ボタンを有する表示画面を生成する画面生成部と、
一定期間内において、前記表示画面に対するユーザの操作回数を前記操作ボタン毎に記録する操作履歴記録部と、
前記操作履歴記録部に記録された前記操作ボタン毎の操作回数を、第１の閾値、及び当該第１の閾値より値の大きい第２の閾値と、それぞれ比較する比較部と、
前記比較部により操作回数が第１の閾値以下と判定された前記操作ボタンを非表示対象に設定する非表示対象設定部と、
前記比較部により操作回数が第２の閾値以上と判定された前記操作ボタンを拡大対象に設定する拡大対象設定部とを備え、
前記画面生成部は、前記非表示対象設定部により非表示対象に設定された前記操作ボタンがある場合に前記表示画面上の当該操作ボタンを非表示とし、前記拡大対象設定部により拡大対象に設定された前記操作ボタンがある場合に前記表示画面上の当該操作ボタンの表示サイズを標準よりも大きくする
ことを特徴とする画面生成装置。
【請求項２】
前記表示画面に常に表示する前記操作ボタンを指定する常駐ボタン指定部を備え、
前記非表示対象設定部は、前記常駐ボタン指定部により指定された前記操作ボタンについては非表示対象に設定しない
ことを特徴とする請求項１記載の画面生成装置。
【発明の詳細な説明】
【技術分野】
【０００１】
この発明は、操作履歴を用いて表示画面の生成を行う画面生成装置に関するものである。
【背景技術】
【０００２】
ビル監視業務は、ビル内の空調制御、環境管理、安全管理及び施設管理をユーザが監視することによって行われている。通常、ユーザは、ビル管理室の中央監視装置を操作することで、ディスプレイに表示される設備機器等の状態（設備機器の設定値、発停等）を確認することができる（例えば特許文献１参照）。
【先行技術文献】
【特許文献】
【０００３】
【特許文献１】特開平０８−１１０９９１号公報
【特許文献２】特開２０１０−１７１９０３号公報
【発明の概要】
【発明が解決しようとする課題】
【０００４】
ところで、ビル監視業務の内容は物件毎に様々であり建物の運用等によって異なる。しかしながら、特許文献１に開示された装置では、表示画面のレイアウトは、製品の開発時に決定される。よって、どのユーザも同じ表示画面及び操作を強いられることになるという課題がある。
一方、表示画面において、使用される可能性の低い操作ボタンを標準よりも小さく表示し、使用される可能性の高い操作ボタンを標準の大きさで表示する装置も知られている（例えば特許文献２参照）。しかしながら、この特許文献２に開示された手法では、使用される可能性の低い操作ボタンを小さく表示するのみであり、誤動作の恐れが依然として生じるという課題がある。
【０００５】
この発明は、上記のような課題を解決するためになされたもので、操作履歴に応じて表示画面のレイアウトが変更可能であり、従来構成に対して誤動作を低減することができる画面生成装置を提供することを目的としている。
【課題を解決するための手段】
【０００６】
この発明に係る画面生成装置は、複数の操作ボタンを有する表示画面を生成する画面生成部と、一定期間内において、表示画面に対するユーザの操作回数を操作ボタン毎に記録する操作履歴記録部と、操作履歴記録部に記録された操作ボタン毎の操作回数を、第１の閾値、及び当該第１の閾値より値の大きい第２の閾値と、それぞれ比較する比較部と、比較部により操作回数が第１の閾値以下と判定された操作ボタンを非表示対象に設定する非表示対象設定部と、比較部により操作回数が第２の閾値以上と判定された操作ボタンを拡大対象に設定する拡大対象設定部とを備え、画面生成部は、非表示対象設定部により非表示対象に設定された操作ボタンがある場合に表示画面上の当該操作ボタンを非表示とし、拡大対象設定部により拡大対象に設定された操作ボタンがある場合に表示画面上の当該操作ボタンの表示サイズを標準よりも大きくするものである。
【発明の効果】
【０００７】
この発明によれば、上記のように構成したので、操作履歴に応じて表示画面のレイアウトが変更可能であり、従来構成に対して誤動作を低減することができる。
【図面の簡単な説明】
【０００８】
【図１】この発明の実施の形態１に係る画像生成装置の構成例を示す図である。
【図２】この発明の実施の形態１に係る画像生成装置のハードウェア構成例を示す図である。
【図３】この発明の実施の形態１に係る画像生成装置の動作例を示すフローチャートである。
【図４】この発明の実施の形態１に係る画像生成装置により生成された表示画面（標準画面）の一例を示す図である。
【図５】この発明の実施の形態１に係る画像生成装置に記録された操作履歴の一例を示す図である。
【図６】この発明の実施の形態１に係る画像生成装置により生成された表示画面（更新画面）の一例を示す図である。
【発明を実施するための形態】
【０００９】
以下、この発明の実施の形態について図面を参照しながら詳細に説明する。
実施の形態１．
図１はこの発明の実施の形態１に係る画面生成装置の構成例を示す図である。
画面生成装置は、図１に示すように、閾値設定部１、常駐ボタン指定部２、画面生成部３、操作履歴記録部４、比較部５、非表示対象設定部６及び拡大対象設定部７を備えている。
【００１０】
閾値設定部１は、表示画面上に表示される操作ボタンのレイアウト変更を判定するための閾値を設定するものである。この際、閾値設定部１は、操作ボタンを非表示とするかを判定するための第１の閾値と、操作ボタンを標準よりも大きく表示するかを判定するための第２の閾値とを設定する。ここで、第２の閾値は、第１の閾値より大きい値である。また、閾値設定部１は、予め定められた値を第１，２の閾値に設定してもよいし、ユーザ操作により第１，２の閾値を設定してもよい。
【００１１】
常駐ボタン指定部２は、表示画面上に表示される操作ボタンのうち、常に表示する操作ボタンを常駐ボタンとして指定するものである。なお、常駐ボタン指定部２は、予め定められた操作ボタンを常駐ボタンに指定してもよいし、ユーザ操作により常駐ボタンを指定してもよい。また、常駐ボタン指定部２は必須の構成ではなく、画面生成装置からなくしてもよい。
【００１２】
画面生成部３は、複数の操作ボタンを有する表示画面を生成するものである。ここで、画面生成部３は、初回では、予め設定された標準の表示画面を生成する。
また、画面生成部３は、非表示対象設定部６又は拡大対象設定部７からレイアウトの変更を示す情報が通知された場合には、当該レイアウトの変更に沿った表示画面を生成する。すなわち、画面生成部３は、非表示対象設定部６により非表示対象に設定された操作ボタンがある場合には、表示画面上の当該操作ボタンを非表示とする。また、画面生成部３は、拡大対象設定部７により拡大対象に設定された操作ボタンがある場合には、表示画面上の当該操作ボタンの表示サイズを標準よりも大きくする。
この画面生成部３により生成された表示画面は表示装置（不図示）のディスプレイ上に表示される。
【００１３】
操作履歴記録部４は、一定期間内において、画面生成部３により生成されて表示装置のディスプレイに表示された表示画面に対するユーザの操作回数を操作ボタン毎に操作履歴として記録するものである。
【００１４】
比較部５は、操作ボタン毎に、操作履歴記録部４に記録された操作回数を閾値設定部１により設定された第１の閾値及び第２の閾値とそれぞれ比較するものである。
【００１５】
非表示対象設定部６は、比較部５により操作回数が第１の閾値以下と判定された操作ボタンを非表示対象に設定するものである。なお、非表示対象設定部６は、常駐ボタン指定部２により常駐ボタンとして指定された操作ボタンについては非表示対象に設定しない。この非表示対象設定部６により非表示対象に設定された操作ボタンを示す情報（レイアウトの変更を示す情報）は画面生成部３に通知される。
【００１６】
拡大対象設定部７は、比較部５により操作回数が第２の閾値以上と判定された操作ボタンを拡大対象に設定するものである。この拡大対象設定部７により拡大対象に設定された操作ボタンを示す情報（レイアウトの変更を示す情報）は画面生成部３に通知される。
【００１７】
次に、上記のように構成された画面生成装置を実現するためのハードウェア構成の一例を、図２を参照しながら説明する。
画面生成装置のハードウェア構成は、例えば図２に示すように、プロセッサ５１及びメモリ５２から構成されている。
【００１８】
この図２において、図１に示す操作履歴記録部４はメモリ５２で実現される。また、図１に示す閾値設定部１、常駐ボタン指定部２、画面生成部３、比較部５、非表示対象設定部６及び拡大対象設定部７は、メモリ５２に記録されたプログラムを実行するプロセッサ５１により実現される。また、複数のプロセッサ５１及び複数のメモリ５２が連携して上記機能を実行してもよい。
【００１９】
次に、上記のように構成された画面生成装置の動作例について説明する。なお、閾値設定部１は、表示画面上に表示される操作ボタンのレイアウト変更を判定するための閾値（第１の閾値、第２の閾値）を設定している。また、常駐ボタン指定部２は、表示画面上に表示される操作ボタンのうち、常に表示する操作ボタンを常駐ボタンとして指定しているものとする。図４に示す表示画面では、Ｃボタン（実行ボタン、名称設定ボタン、復帰ボタン）を常駐ボタンとした場合を示している。
【００２０】
画面生成装置の動作例では、図３に示すように、画面生成部３は、複数の操作ボタンを有する表示画面を生成する（ステップＳＴ１）。ここで、画面生成部３では、初回では、例えば図４に示すような標準の表示画面を生成する。この画面生成部３により生成された表示画面は表示装置（不図示）のディスプレイ上に表示される。
そして、ユーザは、ディスプレイに表示された表示画面を操作することで、詳細設定の確認、設備機器の運転スケジュールの確認、トレンドグラフの確認等、種々の操作を行うことができる。なお図４において、アルファベットＡ〜Ｍが付された操作ボタンがレイアウト変更対象の操作ボタンである。
【００２１】
次いで、操作履歴記録部４は、一定期間内において、画面生成部３により生成されて表示装置のディスプレイに表示された表示画面に対するユーザの操作回数を操作ボタン毎に操作履歴として記録する（ステップＳＴ２）。
図５は操作履歴記録部４に記録される操作履歴の一例を示す図である。例えば図４において、ユーザがＡボタン（ＯＦＦボタン）を押した場合には、操作履歴記録部４ではＡボタンに対する操作回数として「＋１」をカウントする。この操作履歴がユーザによる１つの操作（クリック）毎に更新されていく。
【００２２】
そして、上記一定期間経過後、比較部５は、操作ボタン毎に、操作履歴記録部４に記録された操作回数を閾値設定部１により設定された第１の閾値及び第２の閾値とそれぞれ比較する（ステップＳＴ３）。
【００２３】
次いで、非表示対象設定部６は、比較部５により操作回数が第１の閾値以下と判定された操作ボタンを非表示対象に設定する（ステップＳＴ４）。なお、非表示対象設定部６は、常駐ボタン指定部２により常駐ボタンとして指定された操作ボタンについては非表示対象に設定しない。この非表示対象設定部６により非表示対象に設定された操作ボタンを示す情報（レイアウトの変更を示す情報）は画面生成部３に通知される。
【００２４】
また、拡大対象設定部７は、比較部５により操作回数が第２の閾値以上と判定された操作ボタンを拡大対象に設定する（ステップＳＴ５）。この拡大対象設定部７により拡大対象に設定された操作ボタンを示す情報（レイアウトの変更を示す情報）は画面生成部３に通知される。
なお図３に示すフローでは、非表示対象設定部６による処理、拡大対象設定部７による処理の順で記載したが、処理順序が逆であってもよいし、並列に処理してもよい。
【００２５】
次いで、画面生成部３は、非表示対象設定部６又は拡大対象設定部７からレイアウトの変更を示す情報が通知された場合には、当該情報に従い、表示画面のレイアウトを変更する（ステップＳＴ６）。すなわち、画面生成部３は、非表示対象設定部６により非表示対象に設定された操作ボタンがある場合には、表示画面上の当該操作ボタンを非表示とする。また、画面生成部３は、拡大対象設定部７により拡大対象に設定された操作ボタンがある場合には、表示画面上の当該操作ボタンの表示サイズを標準よりも大きくする。この画面生成部３によりレイアウトが変更された表示画面は表示装置（不図示）のディスプレイ上に表示される。
【００２６】
図６は、図４に示す表示画面に対して、図５に示す操作履歴に基づいて更新された表示画面を示す図である。なおここでは、第１の閾値は５回に設定されており、一定期間内の操作回数が５回以下の操作ボタンを非表示とする。また、第２の閾値は２０回に設定されており、一定期間内の操作回数が２０回以上の操作ボタンの表示サイズを標準よりも大きくする。なおＣボタンは常駐ボタンに設定されている。
【００２７】
ここで、図５に示す例では、Ｃボタン、Ｅボタン、Ｇボタン、Ｋボタンの操作回数がそれぞれ第１の閾値（５回）以下となっている。よって、非表示対象設定部６では、Ｅボタン、Ｇボタン、Ｋボタンを非表示対象とする。なお、Ｃボタンは常駐ボタンに設定されているため、操作回数が第１の閾値以下であっても、非表示対象とはしない。
また、図５に示す例では、Ａボタン、Ｄボタンの操作回数がそれぞれ第２の閾値（２０回）以上となっている。よって、拡大対象設定部７では、Ａボタン、Ｄボタンを拡大対象とする。
【００２８】
そして、画面生成部３では、図６に示す表示画面のように、Ｅボタン、Ｇボタン、Ｋボタンを非表示とし、Ａボタン、Ｄボタンを標準より拡大して表示する。
【００２９】
なお図６に示す表示画面において、非表示にされた操作ボタンを操作したい場合には、例えば、図６の下部右側に新たに表示された「その他の設定」ボタンを押す。これにより、非表示にされた操作ボタンを操作することが可能である。
また、図６のような「その他の設定」ボタンは設けず、非表示にされた操作ボタンが常駐ボタンとして指定されるまで又は上記ステップＳＴ１から画像生成装置の動作が再度実行されるまでは、非表示にされた操作ボタンを操作不可としてもよい。
この非表示にされた操作ボタンの取扱い（「その他の設定」ボタンにより操作可能とするのか、操作不可とするのか）は、非表示対象設定部６の設定により選択可能である。
【００３０】
また、表示画面のレイアウトの変更は、予め定められた一定期間ごと（例えば１か月等）に行われる。また、表示画面のレイアウトを変更するかどうかをユーザが選択することも可能である。
【００３１】
なお、常駐ボタンに設定された操作ボタンについては、操作履歴記録部４において、操作履歴そのものを記録しないように構成してもよい。
【００３２】
以上のように、この実施の形態１によれば、一定期間内において、表示画面に対するユーザの操作回数を操作ボタン毎に記録する操作履歴記録部４と、操作履歴記録部４に記録された操作ボタン毎の操作回数を、第１の閾値、及び当該第１の閾値より値の大きい第２の閾値と、それぞれ比較する比較部５と、比較部５により操作回数が第１の閾値以下と判定された操作ボタンを非表示対象に設定する非表示対象設定部６と、比較部５により操作回数が第２の閾値以上と判定された操作ボタンを拡大対象に設定する拡大対象設定部７とを備え、画面生成部３は、非表示対象設定部６により非表示対象に設定された操作ボタンがある場合に表示画面上の当該操作ボタンを非表示とし、拡大対象設定部７により拡大対象に設定された操作ボタンがある場合に表示画面上の当該操作ボタンの表示サイズを標準よりも大きくするように構成したので、操作履歴に応じて表示画面のレイアウトが変更可能であり、従来構成に対して誤動作を低減することができる。すなわち、操作頻度の少ない操作ボタンを非表示にさせることで、誤操作を低減させることができ、ユーザ毎に使いやすい表示画面を提供することができる。
【００３３】
なお、本願発明はその発明の範囲内において、実施の形態の任意の構成要素の変形、もしくは実施の形態の任意の構成要素の省略が可能である。
【符号の説明】
【００３４】
１  閾値設定部
２  常駐ボタン指定部
３  画面生成部
４  操作履歴記録部
５  比較部
６  非表示対象設定部
７  拡大対象設定部
【図１】
2017037551.tif 000003
【図２】
2017037551.tif 000004
【図３】
2017037551.tif 000005
【図４】
2017037551.tif 000006
【図５】
2017037551.tif 000007
【図６】
2017037551.tif 000008